(57)【要約】      （修正有）【課題】作業環境の温度が、所定の温度に達したとき外周面の色が変化をして、所定の温度に達したことを、作業者が、容易に、かつ、一目で視認することができる保安用標識具を提供する。【解決手段】保安用標識具は、作業を行う作業環境内に、規制や区分けを行うために設置されている保安用標識具１０であって、保安用標識具１０は、所定の温度に達したとき、保安用標識具１０の外周面の少なくとも一部の色が変化するように形成されているものであって、可逆性示温塗料が塗布された面、またはテープ状可逆性示温部材が貼り付けられた面を有する本体部１２を有しており、色が変化したことにより設置されている作業環境の温度が所定の温度に達したことを視認できるようにしたことを特徴とする。【選択図】図１
0003189953.tif 000002
【実用新案登録請求の範囲】
【請求項１】
作業を行う作業環境内に、規制や区分けを行うために設置されている保安用標識具であって、
前記保安用標識具は、所定の温度に達したとき、前記保安用標識具の外周面の少なくとも一部の色が変化するように形成されており、前記色が変化したことにより設置されている前記作業環境の温度が前記所定の温度に達したことを視認できるようにした
ことを特徴とする保安用標識具。
【請求項２】
請求項１に記載された保安用標識具において、
前記保安用標識具は、前記作業環境の所望の位置に設置するための基台部と、前記基台部に立設された本体部とから構成されているものであり、
前記色の変化は、前記所定の温度に達したとき、前記本体部の外周面全体、または、前記本体部の外周面の大部分において、前記色が変化するようになっている
ことを特徴とする保安用標識具。
【請求項３】
請求項１に記載された保安用標識具において、
前記保安用標識具は、前記作業環境の所望の位置に設置するための基台部と、前記基台部に立設された本体部とから構成されているものであり、
前記色の変化は、前記所定の温度に達したとき、前記本体部の外周面の一部の色が変化することにより、前記外周面が、同一色で無模様の状態から所定の形状の模様を有する状態に変化するようになっている
ことを特徴とする保安用標識具。
【請求項４】
請求項２または３に記載された保安用標識具において、
前記色の変化は、前記温度の変化に対応して、可逆的に変化するものである
ことを特徴とする保安用標識具。
【請求項５】
請求項４に記載された保安用標識具において、
前記本体部は、所定の高さ位置に頂点を有する円錐形に形成されているものである
ことを特徴とする保安用標識具。
【請求項６】
請求項５に記載された保安用標識具において、
前記本体部は、前記色が変化する部分が、可逆性示温塗料が塗布された面、または、テープ状可逆性示温部材が貼り付けられた面になっている
ことを特徴とする保安用標識具。
【請求項７】
請求項６に記載された保安用標識具において、
前記本体部の内面部には、前記保安用標識具を積み重ねて収納するとき、前記色が変化する部分が傷まないように、変色部保護部材が設けられている
ことを特徴とする保安用標識具。
【考案の詳細な説明】
【技術分野】
【０００１】
本考案は、工事現場、道路、建築現場等の作業環境において、規制、区分け等を行うための保安用標識具に関する。さらに詳しくは、工事現場、建築現場等の作業環境における温度（気温）が、所定の温度（例えば、熱中症を発症を警戒する温度）を超えたか否かを、作業者が、容易に、かつ、一目で視認することができる保安用標識具に関する。
【背景技術】
【０００２】
近年、夏期の気温の高温化が進み、熱中症の発症する人の数が増加している。熱中症は、高温多湿の環境のもとで、体内の水分と塩分のバランスが崩れたり、体温調節機能がうまく働かなかったりすることで発症する障害の総称であり、死に至ることもある高温障害である。この熱中症を発症する人が多い場所の一つとして、屋外の炎天下で作業を行う工事現場、建設現場等があり、これらの現場では熱中症予防の対策が求められている。
【０００３】
最近は、天気予報において熱中症指標を発表したり、各地域において熱中症発生を報道等が行われている。しかしながら、実際に自分がいる環境における熱中症発生の可能性を把握することは難しい。そこで、この自分がいる環境において、どの程度の熱中症の発症リスクがあるのかを知るための方法として、気温、湿度等から評価を行うＷＢＧＴ（湿球黒球温度）値で評価を行う方法が知られている。
【０００４】
このＷＢＧＴ値で評価を行う方法について、特許文献に基づいて説明を行う。例えば、気温センサ、湿度センサ及び黒球温度センサの出力に基づいて、ＷＢＧＴ値を演算手段によって演算するようにしたＷＢＧＴ測定装置に関する技術が知られている（例えば、特許文献１参照）。また、熱中症指標測定表示装置において、表示器が熱中症指標測定表示装置に取り外し可能に備えられている熱中症指標測定表示装置に関する技術も知られている（例えば、特許文献２参照）。
【０００５】
さらに、測定された気温と湿度から演算手段で演算された熱指標と、生体についての生体データとから、これに対応した熱中症の予防対策を示す通知内容を通知する熱指標測定装置に関する技術も知られている（例えば、特許文献３参照）。この指標測定装置は、身体に装着することができる。
【０００６】
さらに、個人毎に携帯、装着等するタイプのものについて説明を行う。例えば、ヘルメット本体の内側表面部に示温材を備え、この示温材の一部がヘルメット本体の下端縁を超えて延出しているヘルメットに関する技術が知られている（例えば、特許文献４参照）。また、深部体温測定用の鼓膜温センサからの深部体温情報基づき熱ストレインを評価し、その評価に応じて熱中症の警報を発する耳栓型個人熱中症警報装置に関する技術も知られている（例えば、特許文献５参照）。さらに、温度センサと、湿度センサと、温度センサ及び湿度センサの測定値を温熱指標として演算する演算装置とを備え、熱中症予防に繋がる情報を表示する歩数計に関する技術も知られている（例えば、特許文献６参照）。また、携帯用カードサイズでその場の温度がわかり、熱中症になりやすい危険域かを知ることができる熱中症予防・救急医療情報カードに関する技術も知られている（例えば、特許文献７参照）。
【０００７】
しかしながら、特許文献１、２に記載された装置は、このような装置を作業環境内に設置することが作業の邪魔となるおそれがあるという問題点が生じていた。また、表示部、表示器の表示内容を確認するためには、表示部、表示器を視認できる位置に近づくことになり、作業を中断して視認を行うため作業性を低下させるおそれがあるという問題点が生じていた。特許文献４に記載されたヘルメットは、作業者が離れた位置で作業をしていると、延出している示温材の状態を視認することができないおそれがあるという問題点が生じていた。特許文献３、５に記載された装置は、作業者全員に装着するには高価になりすぎるという問題点があった。特許文献６、７に記載されたものは、表示を確認するため、作業を中断する必要があり作業性を低下させるおそれがあるという問題点が生じていた。
【先行技術文献】
【特許文献】
【０００８】
【特許文献１】実開平０５−６３８４号公報
【特許文献２】特開２０１０−９６７３３号公報
【特許文献３】特開２００９−３４２２３号公報
【特許文献４】実用新案登録第３１７８６１８号公報
【特許文献５】特開２０１０−１３１２０９３号公報
【特許文献６】特開２０１１−１９２２４７号公報
【特許文献７】実用新案登録第３１８５５２５号公報
【考案の概要】
【考案が解決しようとする課題】
【０００９】
一方、工事現場等の作業環境では、作業者が、いつでも簡単に一目で作業環境の状態、すなわち、熱中症が発症するおそれがある状態であるか否かを確認できるようになることが要望されている。しかしながら、前述した特許文献の技術では、このような要望を満足するにはまだ十分ではなく、この要望を満足するとともに安価で製作可能なものの開発が期待されている。
【００１０】
言い換えると、作業環境に設置されていても作業の邪魔をすることがなく、また、作業者が、作業中にちょっと視線を変えて視認することで、作業環境が熱中症を発症するおそれがある状態であるか否かを確認することができるものの開発が期待されている。
【００１１】
本考案は、このような従来の問題点を解決するためになされたもので、次の目的を達成する。
本考案の目的は、作業環境の温度が、所定の温度に達したとき外周面の色が変化をして、所定の温度に達したことを、作業者が、容易に、かつ、一目で視認することができる保安用標識具を提供することにある。
【課題を解決するための手段】
【００１２】
本考案は、前記目的を達成するための次の手段を有する。
本考案１の保安用標識具は、作業を行う作業環境内に、規制や区分けを行うために設置されている保安用標識具であって、前記保安用標識具は、所定の温度に達したとき、前記保安用標識具の外周面の少なくとも一部の色が変化するように形成されており、前記色が変化したことにより設置されている前記作業環境の温度が前記所定の温度に達したことを視認できるようにしたことを特徴とする。
【００１３】
本考案２の保安用標識具は、本考案１において、前記保安用標識具は、前記作業環境の所望の位置に設置するための基台部と、前記基台部に立設された本体部とから構成されているものであり、前記色の変化は、前記所定の温度に達したとき、前記本体部の外周面全体、または、前記本体部の外周面の大部分において、前記色が変化するようになっていることを特徴とする。
【００１４】
本考案３の保安用標識具は、本考案１において、前記保安用標識具は、前記作業環境の所望の位置に設置するための基台部と、前記基台部に立設された本体部とから構成されているものであり、前記色の変化は、前記所定の温度に達したとき、前記本体部の外周面の一部の色が変化することにより、前記外周面が、同一色で無模様の状態から所定の形状の模様を有する状態に変化するようになっていることを特徴とする。
【００１５】
本考案４の保安用標識具は、本考案２または３において、前記色の変化は、前記温度の変化に対応して、可逆的に変化するものであることを特徴とする。
本考案５の保安用標識具は、本考案４において、前記本体部は、所定の高さ位置に頂点を有する円錐形に形成されているものであることを特徴とする。
【００１６】
本考案６の保安用標識具は、本考案５において、前記本体部は、前記色が変化する部分が、可逆性示温塗料が塗布された面、または、テープ状可逆性示温部材が貼り付けられた面になっていることを特徴とする。
本考案７の保安用標識具は、本考案６において、前記本体部の内面部には、前記保安用標識具を積み重ねて収納するとき、前記色が変化する部分が傷まないように、変色部保護部材が設けられていることを特徴とする。
【考案の効果】
【００１７】
本考案の保安用標識具は、所定の温度に達したとき、保安用標識具の本体部の外周面の少なくとも一部の色が変化するものである。その保安用標識具が設置されている作業環境にいる作業者は、近くの保安用標識具の外周面の色が変化したことを視認したとき、熱中症を防止するための対策を実行すればよい。保安用標識具は、所定の高さを有するものであり、作業者が、容易に、一目で視認することができる。また、作業者は、作業位置から移動することなく視線の方向を変えるだけで色の変化を視認することができ、作業を中断することがほとんど生じないため作業性の低下が生じない。さらに、保安用標識具の外周面の色の変化に、電気等を使用しないので、そのための電気配線やバッテリー等を必要とせず、地球環境に優しく、経済性にも優れたものである。
【図面の簡単な説明】
【００１８】
【図１】図１は、本考案の実施の形態１の保安用標識具を一部断面にして示す正面図である。
【図２】図２は、実施の形態１の保安用標識具の変形例を一部断面にして示す正面図である。
【図３】図３は、本考案の実施の形態２の保安用標識具を示す正面図である。
【図４】図４は、実施の形態２の保安用標識具の変形例を示す正面図である。
【考案を実施するための形態】
【００１９】
以下、本考案の保安用標識具の実施の形態を、図１〜図４に基づいて詳細に説明する。
図１は、本考案の実施の形態１の保安用標識具を一部断面にして示す正面図、図２は、実施の形態１の保安用標識具の変形例を一部断面にして示す正面図である。図３は、本考案の実施の形態２の保安用標識具を示す正面図、図４は、実施の形態２の保安用標識具の変形例を示す正面図である。
【００２０】
保安用標識具は、所定の高さ（例えば、４５０ｍｍ〜７００ｍｍ）を有し、上部位置が頂点となる円錐（コーン）形の標識具であり、工事現場、建築現場では、規制や区分けを目的として所定の位置に設置されている。この保安用標識具（以下、標識具と記載する）は、円錐底部側が開口している円錐状の空間が形成されている中空状のもので、重ね合わせて運搬、収納等が行えるようになっている。この標識具は、カラーコーン（登録商標）、ロードコーン、パイロン、三角コーンなどとも呼ばれ、大きさ、形状等は周知のものである。この標識具は、作業環境内の所望の位置に、複数本、設置されていることが多く、作業環境にいる作業者にとって、少なくとも一部の標識具が一目で視認できるように設置されている。標識具は、大抵が合成樹脂（例えば、ポリ塩化ビニル）製のものであり、一般に、外周面の色が、注意を喚起するための赤色、朱色、黄色等や、景観に響きにくい緑色、青色、白色等の成形色に形成されているものである。また、さらに、標識具は、視認性を向上させるために、朱色地に白色、黒地に黄色等の縞模様を入れたものもある。
【００２１】
〔実施の形態１〕
図１、２に基づいて、本考案の実施の形態１の標識具の説明を行う。
図１に示す標識具１０は、標識具１０を設置するための四角形状の基台部１１と、基台部１１の上部に立設するように形成されているコーン状の本体部１２とから構成されている。標識具１０は、基台部１１の底面が、作業環境の地面、床面等に載置され、所望の位置に設置される。この標識具１０は、本体部１２に、設置されている作業環境の温度が熱伝導し、本体部１２の温度が所定の温度（例えば、３５℃）に達したとき、本体部１２の外周面１２ａの少なくとも一部の色が変化するものである。
【００２２】
この標識具１０は、本体部１２の全体の色、または、大部分（例えば、本体部の２／３以上）の色が変化することが好ましい。すなわち、標識具１０は、大きな部位の色が変化することで、離れた位置からでも、作業者が色の変化を視認、判別しやすくなる。図１に示した標識具１０は、例えば、所定の温度（例えば、３５℃）以下のとき黄色であるものが、所定の温度（例えば、３５℃）を超えると赤色に変化するものである。標識具１０が設置されている作業環境内にいる作業者は、標識具１０の外周面１２ａの色が変化したことを視認することで、作業環境内の気温が所定の温度を超え、熱中症を発症するおそれが高い状態にあることを知ることができる。言い換えると、作業者は、標識具１０の外周面１２ａの色を視認することで、作業環境内の気温が、熱中症を発症するおそれが高い状態にあることを、容易に、かつ、一目で確認することができる。
【００２３】
また、作業環境が熱中症を発症するおそれが高い状態にあるか否かを確認したい作業者は、確認のため移動することなく、自分の近くにある標識具１０の色を作業しているその場で視認すればよいので、作業を中断することがほとんど生じない。さらに、作業環境が熱中症を発症するおそれが高い状態にあることを確認した作業者は、熱中症対策を早急にとることにより、熱中症発症を防止することができる。この外周面１２ａは、所定の温度以下に下がった場合には、赤色から元の黄色に戻るようになっている。戻った場合には、通常の作業状態に戻ればよい。このように、この外周面１２ａの色は、作業環境の温度に対して、可逆性となっている。
【００２４】
一般に、標識具１０が載置されるアスファルト等は、炎天下では気温より高温であることが多い。このような場合、標識具１０は、アスファルト等から伝達される熱により、標識具１０の下側から色が変化していく。このことにより、作業者は、アスファルト等からの照り返しの影響なども視認することができる。
【００２５】
この標識具１０は、次に示す方法で製造されている。
耐久性、耐候性に優れた合成樹脂（例えば、軟質ポリエチレン樹脂）により、所定の大きさ、形状の標識具成形体を成形する。この標識具成形体に下塗り用塗料を下塗りする。下塗り用塗料が乾いた後、標識具成形体の外周面に、可逆性示温塗料を塗布する。この可逆性示温塗料とは、一定の温度で色が変わる化合物を顔料として含む塗料である。この標識具１０では、所定の温度で可逆的に変色する油性の可逆性示温塗料〔例えば、商品名：サーモペイント  Ｒ（塗料タイプ）／日油技研工業株式会社製〕が絵画用等の筆、刷毛等で塗布されている。可逆性示温塗料は２度塗りをしてもよい。可逆性示温塗料が乾いた後、上塗りワニスを塗ることにより、標識具１０が製造される。また、標識具１０は、標識具成形体の外周面に可逆性示温塗料をスプレーで塗布したものであってもよい。スプレー塗布する場合、うすめ液（例えば、シンナー）と可逆性示温塗料とを混合して使用するとよい。
【００２６】
なお、この標識具１０には、標識具を収納するために積み重ねたとき、外周面１２ａに塗布された塗装面（外周面変色部）が傷まないように、中空面（内周面）１２ｂに柔らかい素材からなるシール状の変色部保護部材１３が設けられているとよい。例えば、この変色部保護部材１３は、塗装面（外周面変色部）が傷まないような柔らかさの部材からなるものであって、中空面１２ｂに貼り付けられたり、接着されたり等して、本体部１２と一体になっているものであるとよい。また、変色部保護部材は、射出成形等で一体に成形されているものでもよい。さらに、変色部保護部材１３は、中空面１２ｂの本体部１２の下部から所定の高さ（標識具１０の外周面１２ａと、その上部に積み重ねられた標識具の中空面１２ｂとが接することがないようにできる高さ）分設けられていても、上下の複数箇所（例えば、上下２箇所）に設けられてもよい。標識具１０が積み重ねられたとき、標識具１０の外周面１２ａと、その上部に積み重ねられた標識具の変色部保護部材１３とが接するようになっている。このことで、標識具１０の外周面１２ａと、その上部に積み重ねられた標識具の中空面１２ｂとが接触してしまうことを防止して、可逆性示温塗料が塗布された塗装面に傷等がつくことが生じないようになっている。
【００２７】
図２に示す標識具２０は、実施の形態１の標識具の変形例である。
この標識具２０は、基台部２１の上部に形成されている本体部２２の外周面２２ａの色が、所定の温度（例えば、３５℃）に達したとき、青色から緑色に変化するように形成されている。この変形例の標識具２０は、前述した標識具１０と変化する色が異なるだけである。言い換えると、この標識具２０は、前述した標識具１０に塗布した可逆性示温塗料とは異なる示温顔料を含む油性の可逆性示温塗料が塗布されたものであり、標識具１０と同一の部位についての詳細な説明は省略する。また、標識具は、所定の温度に達したとき、青色から赤色に変化するものであってもよい。
【００２８】
この標識具２０も、標識具１０と同様に、標識具を収納するために積み重ねたとき、外周面２２ａに塗布された塗装面（外周面変色部）が傷まないように、中空面（内周面）２２ｂに柔らかい素材からなるシール状の変色部保護部材２３が設けられているとよい。例えば、この変色部保護部材２３は、塗装面（外周面変色部）が傷まないような柔らかさのものであって、中空面２２ｂに貼り付けられたり、接着されたり等して、本体部２２と一体になっているものであるとよい。また、変色部保護部材は、射出成形等で一体に成形されているものでもよい。さらに、変色部保護部材２３は、中空面２２ｂの本体部２２の下部から所定の高さ（標識具２０の外周面２２ａと、その上部に積み重ねられた標識具の中空面２２ｂとが接することがないようにできる高さ）分設けられていても、上下の複数箇所（例えば、上下２箇所）に設けられてもよい。標識具が積み重ねられたとき、標識具２０の外周面２２ａと、その上部に積み重ねられた標識具の変色部保護部材２３とが接するようになっている。このことで、標識具２０の外周面２２ａと、その上部に積み重ねられた標識具の中空面２２ｂとが接触してしまうことを防止して、可逆性示温塗料が塗布された塗装面に傷等がつくことが生じないようになっている。
【００２９】
〔実施の形態２〕
図３、４に基づいて、本考案の実施の形態２の標識具について説明を行う。
図３に示す標識具３０は、下部に四角形状の基台部３１と、基台部３１の上部に形成されているコーン状の本体部３２とから構成されている。この標識具３０は、本体部３２に設置されている作業環境の温度が熱伝導され、本体部３２の温度が所定の温度（例えば、３５℃）に達したとき、本体部３２の外周面３２ａの一部である外周面変色部３２ｂの色が変化するものである。この標識具３０は、所定の温度（例えば、３５℃）に達したとき、外周面変色部３２ｂの部分の色が黄色から白色に変化する。すなわち、色が黄色で無地の状態（黄色の単一色で無模様の状態）であった外周面３２ａが、所定の幅の黄色の外周面３２ａと白色の外周面変色部３２ｂとの縞模様が形成された状態に変化した外周面となるのである。
【００３０】
この標識具３０の変化は、標識具３０が設置されている作業環境内にいる作業者にとって、非常に視認しやすいものである。作業者は、標識具３０の外周面３２ａが、無地（黄色の単一色で無模様）の状態から黄色と白色の縞模様が形成された状態に変化することで、作業環境内の気温が所定の温度を超え、熱中症を発症するおそれが高い状態にあることを、容易に、かつ、一目で視認することができる。また、作業環境が熱中症を発症するおそれが高い状態にあるか否かを確認したい作業者は、視認するために移動をすることなく、自分の近くにある標識具３０が、無模様状態か、縞模様状態かを作業しているその場で視認すればよいので、作業を中断することがほとんで生じない。さらに、作業環境が熱中症を発症するおそれが高い状態にあることを確認した作業者は、熱中症対策を早急にとることにより、熱中症発症を防止することができる。この外周面３２ａの模様は、所定の温度以下に下がった場合には、縞模様の状態から元の黄色の無地（無模様）の状態に戻るようになっている。
【００３１】
この標識具３０は、次に示す方法で製造されている。
耐久性、耐候性に優れた合成樹脂（例えば、軟質ポリエチレン樹脂）により、所定の大きさ、形状の標識具成形体を成形する。この標識具成形体の所定の位置に、前述した縞模様が形成されるように下塗り用塗料を下塗りする。下塗り用塗料が乾いた後、標識具成形体の外周面の下塗り塗料の上に可逆性示温塗料を塗布する。言い換えると、合成樹脂製の標識具成形体の外周面の外周面変色部３２ｂ（図３参照）に相当する位置に、油性の可逆性示温塗料を筆、刷毛等で塗布する。なお、可逆性示温塗料は、スプレーにより下塗り用塗料面上にスプレー塗布してもよい。また、可逆性示温塗料は、２度塗り等してもよい。可逆性示温塗料が乾いた後、その上に、上塗りワニスを塗ることにより、標識具３０は製造される。この標識具３０には、標識具を収納するために重ねたとき、外周面変色部３２ｂに塗布された塗装面等である外周面変色部が傷まないように、中空部に柔らかい素材のシール状の変色部保護部材（図示せず）が設けられているとよい。この変色部保護部材は、前述した標識具１０、２０の変色部保護部材１３、２３に相当するものであり、標識具３０に同様に設けられている。
【００３２】
さらに、標識具３０は、合成樹脂製の標識具成形体の外周面変色部３２ｂに相当する位置に、テープ状の可逆性示温部材を貼り付けて製造されてもよい。このテープ状の可逆性示温部材とは、温度にあわせて表面の色が変化するようにしたテープ状の可逆性示温材であり、サーモテープなどとも呼ばれている。このテープ状の可逆性示温部材は、テープ基体の一方に粘着層、接着層が設けられ、標識具成形体等に、貼り付けることができるようになっているものが多い。このテープ状の可逆性示温部材は、例えば、特開２００１−２４７８２８号公報等で知られているものであるとよい。
【００３３】
図４に示す標識具４０は、実施の形態２の標識具の変形例である。
この標識具４０は、基台部４１の上部に形成されている本体部４２の外周面の４２ａの色が、所定の温度（例えば、３５℃）に達したとき、緑色の無地の状態から緑色と白色の縞模様の状態に変化するように形成されている。この変形例の標識具４０は、前述した標識具３０と、無地の状態の色が異なるだけである。言い換えると、この標識具４０は、外周面変色部４２ｂに相当する位置に、テープ状の可逆性示温部材が貼り付けられたり、可逆性示温塗料が塗布されたものである。なお、この標識具４０は、前述したように、標識具３０と色が異なるだけであり、変色部保護部材等が同じような位置に設けられているが、これらの部材についての詳細な説明は省略する。また、標識具４０の製造方法についても説明を省略する。なお、この実施の形態２の標識具は、所定の温度に達したとき、無地（無模様）の状態から模様を有する状態に、または、模様を有する状態から無地の状態に変化すればよく、色の組み合わせは模様の有無が視認しやすいものであればよい。
【００３４】
以上、本考案の実施の形態を説明したが、本考案はこれに限定されるものではない。本考案の、目的、趣旨を逸脱しない範囲内での変更が可能なことはいうまでもない。例えば、この標識具の外周面が変化する色は、前述した形態の色に限定されるものではなく、他の色であってもよい。例えば、作業者が、色から感じる暖かいとか冷たいというような印象と合わせると良い。具体的には、所定の温度に達したとき、寒色系に色から中性色系の色、寒色系の色から暖色系の色、または、中性色系の色から暖色系の色に変化させるようにすると、作業者が色から受ける感覚、感性と一致してよい。
【００３５】
また、外周面の模様は、作業者が、模様の無い状態からの変化を容易に視認できるものであれば、他の模様形状であってもよい。例えば、外周面の模様は、縦縞の模様、スパイラル状の模様、斑点模様、水玉模様などであってもよい。
【符号の説明】
【００３６】
１０、２０、３０、４０  …  保安用標識具
１１、２１、３１、４１  …  基台部
１２、２２、３２、４２  …  本体部
１２ａ、２２ａ、３２ａ、４２ａ  …  外周面
１２ｂ、２２ｂ  …  中空面（内周面）
１３、２３  …  変色部保護部材
３２ｂ、４２ｂ  …  外周面変色部
【図１】
0003189953.tif 000003
【図２】
0003189953.tif 000004
【図３】
0003189953.tif 000005
【図４】
0003189953.tif 000006
【手続補正書】
【提出日】平成26年2月4日(2014.2.4)
【手続補正１】
【補正対象書類名】実用新案登録請求の範囲
【補正対象項目名】全文
【補正方法】変更
【補正の内容】
【実用新案登録請求の範囲】
【請求項１】
作業を行う作業環境内に、規制や区分けを行うために設置されている保安用標識具であって、
前記保安用標識具は、所定の温度に達したとき、前記保安用標識具の外周面の少なくとも一部の色が変化するように形成されているものであって、可逆性示温塗料が塗布された面、または、テープ状可逆性示温部材が貼り付けられた面を有する本体部を有しており、前記色が変化したことにより設置されている前記作業環境の温度が前記所定の温度に達したことを視認できるようにした
ことを特徴とする保安用標識具。
【請求項２】
請求項１に記載された保安用標識具において、
前記保安用標識具は、前記作業環境の所望の位置に設置するための基台部と、前記基台部に立設された本体部とから構成されているものであり、
前記色の変化は、前記所定の温度に達したとき、前記本体部の外周面全体、または、前記本体部の外周面の大部分において、前記色が変化するようになっている
ことを特徴とする保安用標識具。
【請求項３】
請求項１に記載された保安用標識具において、
前記保安用標識具は、前記作業環境の所望の位置に設置するための基台部と、前記基台部に立設された本体部とから構成されているものであり、
前記色の変化は、前記所定の温度に達したとき、前記本体部の外周面の一部の色が変化することにより、前記外周面が、同一色で無模様の状態から所定の形状の模様を有する状態に変化するようになっている
ことを特徴とする保安用標識具。
【請求項４】
請求項２または３に記載された保安用標識具において、
前記色の変化は、前記温度の変化に対応して、可逆的に変化するものである
ことを特徴とする保安用標識具。
【請求項５】
請求項４に記載された保安用標識具において、
前記本体部は、所定の高さ位置に頂点を有する円錐形に形成されているものである
ことを特徴とする保安用標識具。
【請求項６】
請求項５に記載された保安用標識具において、
前記本体部は、前記色が変化する部分が、前記可逆性示温塗料が塗布された面、または、前記テープ状可逆性示温部材が貼り付けられた面になっている
ことを特徴とする保安用標識具。
【請求項７】
請求項６に記載された保安用標識具において、
前記本体部の内面部には、前記保安用標識具を積み重ねて収納するとき、前記色が変化する部分が傷まないように、変色部保護部材が設けられている
ことを特徴とする保安用標識具。
【手続補正２】
【補正対象書類名】明細書
【補正対象項目名】００１２
【補正方法】変更
【補正の内容】
【００１２】
本考案は、前記目的を達成するための次の手段を有する。
本考案１の保安用標識具は、作業を行う作業環境内に、規制や区分けを行うために設置されている保安用標識具であって、前記保安用標識具は、所定の温度に達したとき、前記保安用標識具の外周面の少なくとも一部の色が変化するように形成されているものであって、可逆性示温塗料が塗布された面、または、テープ状可逆性示温部材が貼り付けられた面を有する本体部を有しており、前記色が変化したことにより設置されている前記作業環境の温度が前記所定の温度に達したことを視認できるようにしたことを特徴とする。
【手続補正３】
【補正対象書類名】明細書
【補正対象項目名】００１６
【補正方法】変更
【補正の内容】
【００１６】
本考案６の保安用標識具は、本考案５において、前記本体部は、前記色が変化する部分が、前記可逆性示温塗料が塗布された面、または、前記テープ状可逆性示温部材が貼り付けられた面になっていることを特徴とする。
本考案７の保安用標識具は、本考案６において、前記本体部の内面部には、前記保安用標識具を積み重ねて収納するとき、前記色が変化する部分が傷まないように、変色部保護部材が設けられていることを特徴とする。